(57)【要約】【課題】容易な操作で漏気の発生の有無および漏気箇所を確認することのできる電子血圧計を提供する。【解決手段】電子血圧計１において、ＣＰＵ４０は操作部３で所定の操作がなされると漏気検査のための動作を行なわせる。ＣＰＵ４０は、腕帯５、エア管１０Ａ，１０Ｂからなる閉空間に対してポンプ２１で所定圧となるまで空気を注入し、一定時間、閉塞状態を維持して、その時間内の圧力低下を圧力センサ２３によって監視する。許容される低下量以上に圧力が低下した場合には、腕帯５、エア管１０Ａ，１０Ｂからなる閉空間に漏気があると判定する。同様に、エア管１０Ｂからなる閉空間に対しても検査を行ない、両検査結果から、ＣＰＵ４０は、漏気の有無、および漏気箇所が腕帯５およびエア管１０Ａからなる空間か、エア管１０Ｂからなる空間かを判定する。【選択図】図２
2010136767.tif 000002
【特許請求の範囲】
【請求項１】
閉空間に接続され、前記閉空間の内圧を検出する圧力センサと、
前記内圧の変化に基づいて、前記閉空間に含まれる流体袋が装着された測定部位の血圧を算出する算出手段と、
前記内圧の変化に基づいて、前記閉空間からの漏気の有無を判定する判定手段と、
前記閉空間に対する流体の注入および排気を制御する制御手段とを備える、電子血圧計。
【請求項２】
前記制御手段は、前記判定手段で前記漏気の有無を判定する際に、前記閉空間に所定の圧力まで流体を注入した後に、規定された時間前記流体の注入および排気を停止し、
前記判定手段は、前記規定された時間内の前記内圧の変化に基づいて、前記閉空間からの漏気の有無を判定する、請求項１に記載の電子血圧計。
【請求項３】
前記閉空間は、前記流体袋を含む第１の空間と、前記流体袋を含まない第２の空間とを含み、
前記圧力センサが接続される閉空間を前記第１の空間または前記第２の空間に切替える切替手段をさらに備え、
前記制御手段は、前記判定手段で前記漏気の有無を判定する際に、前記切替手段での前記切替を制御し、
前記判定手段は、さらに、漏気箇所を含む空間を特定する、請求項１または２に記載の電子血圧計。
【請求項４】
前記第１の空間は前記流体袋と前記流体袋に流体を注入するためのすべての管とからなる空間であり、前記第２の空間は、前記第１の空間から前記流体袋と前記流体袋に直接接続される管とを除いた空間である、請求項３に記載の電子血圧計。
【請求項５】
前記制御手段は、前記判定手段において、前記第１の空間の前記内圧の変化に基づいて前記第１の空間に漏気があると判定された場合に、前記切替手段を制御して前記第１の空間を前記第２の空間に切替え、
前記判定手段は、前記第１の空間についての漏気の有無の判定を行ない、前記第１の空間に漏気があると判定された場合に、前記第２の空間についての漏気の有無の判定を行ない、前記第１の空間の漏気の有無の判定結果と、前記第２の空間の漏気の有無の判定結果とから、漏気箇所が、前記流体袋と前記流体袋に直接接続される管とからなる空間にあるか、前記第１の空間から前記流体袋と前記流体袋に直接接続される管とを除いた空間にあるか、を特定する、請求項４に記載の電子血圧計。
【請求項６】
前記判定手段における前記漏気の有無の判定の実施日を記憶する記憶手段をさらに備え、
前記制御手段は、直前の前記実施日からの経過、またはこれまでの測定回数に基づいて、前記判定手段での前記漏気の有無の判定を実施するタイミングを判断する、請求項１〜５のいずれかに記載の電子血圧計。
【発明の詳細な説明】
【技術分野】
【０００１】
この発明は電子血圧計に関し、特に、流体袋を内包したカフを測定部位に装着して、流体袋の内圧変化で測定部位の血圧を測定する電子血圧計に関する。
【背景技術】
【０００２】
電子血圧計で血圧を測定する際、測定者の腕・手首に、空気袋などの流体袋を内包した腕帯（カフ）を巻き付けて、腕帯に空気を送り圧力を高める。そして、電子血圧計では、腕帯にあたる測定者の脈の圧力を空気袋の内圧変化として検出し、その内圧変化に基づいて血圧値を算出する。そのため、腕帯やエアチューブなどから空気が漏れる、漏気と呼ばれる現象が生じると、測定者の脈の圧力を正確に得られず正確な血圧値の算出ができない。また、腕帯の圧力を高めることができず血圧測定ができない。
【０００３】
電子血圧計において漏気を確認する技術として、たとえば特開２００４−１６０１８６号公報（以下、特許文献１）は、電源電圧を変化させることで電子血圧計における動作モードを変更する技術を開示し、その動作モードの中の１つに漏気試験が含まれている。また、本願出願人が実施している電子血圧計においても、水銀血圧計と、Ｔ字管と、エアチューブとを用意し、Ｔ字管を介して電子血圧計本体およびカフと水銀血圧計とを接続して、電子血圧計と水銀血圧計との双方の圧力値を比較することで、電子血圧計での測定値を確認する検査方法が可能とされている。
【特許文献１】特開２００４−１６０１８６号公報
【発明の開示】
【発明が解決しようとする課題】
【０００４】
しかしながら、特許文献１で開示された方法は、電子血圧計の電源電圧を変化させるという操作が必要であり、たとえば一般家庭にある電子血圧計など、特別な技能を備えていないユーザが電子血圧計を扱う場合、簡単に漏気を検査することができない、という問題がある。また、本願出願人がすでに実施している電子血圧計での検査方法は、電子血圧計における圧力の誤差が確認される方法であって、必ずしも漏気を検出する方法ではない。
【０００５】
また、一般的な漏気検査を行なう場合には圧力発生装置や圧力検出装置などの装置が必要となり、そのような装置を持ち合わせていないユーザである場合には漏気検査ができない、という問題がある。
【０００６】
さらに、ユーザが電子血圧計で漏気が生じていると疑う場合には、交換対象が実際には腕帯だけであったとしても、メーカーに検査を依頼して、メーカーにて圧力発生装置や圧力検出装置を用いた漏気検査を実施して漏気箇所を特定した後に修理や部品交換が行われることとなり、漏気が解消するまでに、多くの時間や費用が必要となるという問題がある。特に、血圧計は、自身の健康管理のために毎日用いられることが多い。そのため、漏気が解消するまでに多くの時間が必要となった場合に、そのような用い方をするユーザに多大な負担を強いることになる。
【０００７】
本発明はこのような問題に鑑みてなされたものであって、容易な操作で漏気の発生の有無および漏気箇所を確認することのできる電子血圧計を提供することを目的とする。
【課題を解決するための手段】
【０００８】
上記目的を達成するために、本発明のある局面に従うと、電子血圧計は、閉空間に接続され、閉空間の内圧を検出する圧力センサと、閉空間の内圧の変化に基づいて、閉空間に含まれる流体袋が装着された測定部位の血圧を算出する算出手段と、内圧の変化に基づいて、閉空間からの漏気の有無を判定する判定手段と、閉空間に対する流体の注入および排気を制御する制御手段とを備える。
【０００９】
好ましくは、制御手段は、判定手段で漏気の有無を判定する際に、閉空間に所定の圧力まで流体を注入した後に、規定された時間流体の注入および排気を停止し、判定手段は、上記規定された時間内の内圧の変化に基づいて、閉空間からの漏気の有無を判定する。
【００１０】
より好ましくは、閉空間は、流体袋を含む第１の空間と、流体袋を含まない第２の空間とを含み、電子血圧計は、圧力センサが接続される閉空間を第１の空間または第２の空間に切替える切替手段をさらに備え、制御手段は、判定手段で漏気の有無を判定する際に、切替手段での切替を制御し、判定手段は、さらに、漏気箇所を含む空間を特定する。
【００１１】
より好ましくは、第１の空間は前記流体袋と前記流体袋に流体を注入するためのすべての管とからなる空間であり、第２の空間は、第１の空間から流体袋と流体袋に直接接続される管とを除いた空間である。
【００１２】
より好ましくは、制御手段は、判定手段において、第１の空間の内圧の変化に基づいて第１の空間に漏気があると判定された場合に、切替手段を制御して第１の空間を第２の空間に切替え、判定手段は、前１の空間についての漏気の有無の判定を行ない、第１の空間に漏気があると判定された場合に、第２の空間についての漏気の有無の判定を行ない、第１の空間の漏気の有無の判定結果と、第２の空間の漏気の有無の判定結果とから、漏気箇所が、流体袋と流体袋に直接接続される管とからなる空間にあるか、第１の空間から流体袋と流体袋に直接接続される管とを除いた空間にあるか、を特定する。
【００１３】
好ましくは、電子血圧計は、判定手段における漏気の有無の判定の実施日を記憶する記憶手段をさらに備え、制御手段は、直前の実施日からの経過、またはこれまでの測定回数に基づいて、判定手段での漏気の有無の判定を実施するタイミングを判断する。
【発明の効果】
【００１４】
本発明によると、特別な装置や技能を備えていないユーザであっても、容易な操作で漏気の発生および漏気箇所を特定することができる。さらに、漏気箇所が電子血圧計本体に接続されるカフであると特定された場合には、電子血圧計本体の修理をメーカーに依頼するまでもなく、カフを買い換える、もしくはメーカーに交換を依頼することで漏気による不備を解消することができ、時間的・費用的なユーザの負担を抑えることができる。
【発明を実施するための最良の形態】
【００１５】
以下に、図面を参照しつつ、本発明の実施の形態について説明する。以下の説明では、同一の部品および構成要素には同一の符号を付してある。それらの名称および機能も同じである。
【００１６】
図１は、本実施の形態にかかる電子血圧計（以下、血圧計と略する）１の外観の具体例を示す図である。図１を参照して、血圧計１は、本体２と、測定部位である上腕や手首などに巻付ける、図示しない空気袋を内包した腕帯５とを備え、それらがエア管１０Ａで接続される。本体２の正面には、スイッチ等の操作部３と、測定結果等を表示する表示部４とが配備される。操作部３は、電源のＯＮ／ＯＦＦおよび測定の開始／停止を指示するためのスイッチ３１、および記録されている測定値を呼出して表示させるためのスイッチ３２を含む。
【００１７】
図２は、血圧計１のハードウェア構成の具体例を示すブロック図である。図２を参照して、腕帯５はエア管１０Ａを介して切替弁２４に接続される。切替弁２４は、さらに本体２内のエア管１０Ｂを介してポンプ２１、弁２２および圧力センサ２３に接続される。切替弁２４、ポンプ２１、および弁２２は、各々駆動回路２５，２６，２７に接続されて、これらによって駆動される。圧力センサ２３、および駆動回路２５，２６，２７は、各々、ＣＰＵ４０（Central Processing Unit）に接続される。ＣＰＵ４０には、さらに、操作部３、表示部４、およびメモリ６が接続される。
【００１８】
メモリ６は、測定された血圧値を記憶すると共に、ＣＰＵ４０で実行されるプログラムとして、測定動作を行なわせるためのプログラム、および後述する漏気検査のための動作を行なわせるためのプログラムを記憶する。漏気検査の結果を記憶してもよい。ＣＰＵ４０は、操作部３から入力される操作信号に従ってメモリ６から上記プログラムを読み出して実行し、駆動回路２６や駆動回路２７に制御信号を出力する。駆動回路２６，２７は、上記制御信号に従ってポンプ２１および弁２２を駆動させる。
【００１９】
切替弁２４は２ポート弁であり、エア管１０Ａとの接続側およびエア管１０Ｂとの接続側に各々弁を備える。切替弁２４は駆動回路２５によって駆動され、エア管１０Ａとの接続側の弁およびエア管１０Ｂとの接続側の弁が、各々、解放または閉塞される。弁２２は、駆動回路２７によって駆動され、解放または閉塞される。
【００２０】
切替弁２４の両弁が開放され、弁２２が閉塞されることで、腕帯５内の空気袋（不図示）およびエア管１０Ａ，１０Ｂとで閉空間が形成され、圧力センサ２３によって、当該閉空間の圧力が検出される。腕帯５内の空気袋（不図示）およびエア管１０Ａ，１０Ｂとで閉空間が形成されている状態のことを、以降の説明において状態１と称し、この閉空間を閉空間１と称する。切替弁２４のエア管１０Ｂとの接続側の弁が開放され、切替弁２４のエア管１０Ａとの接続側の弁および弁２２が閉塞されることで、エア管１０Ｂで閉空間が形成され、圧力センサ２３によって、当該閉空間の圧力が検出される。エア管１０Ｂで閉空間が形成されている状態のことを、以降の説明において状態２と称し、この閉空間を閉空間２と称する。閉空間２は閉空間１から腕帯５内の空気袋（不図示）およびエア管１０Ａを切り離した空間であると言える。ポンプ２１は、駆動回路２６によって駆動され、空気を閉空間１または閉空間２に注入する。弁２２が開放されることで、閉空間１または閉空間２内の空気が排気される。
【００２１】
圧力センサ２３は検出した圧力を示す信号をＣＰＵ４０に入力する。ＣＰＵ４０は、メモリ６から読み出した測定用のプログラムを実行することで、圧力センサ２３から入力された信号に基づいて被測定者の血圧値を算出し、測定結果としてメモリ６の所定領域に記憶する。また、後述する漏気検査を行なわせるためのプログラムを実行することで、ＣＰＵ４０は、圧力センサ２３から入力された信号を用いて漏気の有無を判定し、判定結果をメモリ６の所定領域に記憶する。
【００２２】
血圧計１は、血圧測定用のプログラムに従って通常の血圧測定の動作と、漏気検査を行なわせるためのプログラムに従って漏気検査のための動作とを行なう。図３は、血圧計１における漏気検査のための動作の具体例を示すフローチャートである。また、図４〜図１２は、一連の漏気検査のための動作を説明する図である。
【００２３】
図３のフローチャートに示される動作は、血圧計１において、図４に示される、他のスイッチ（図４ではスイッチ３２）と共に電源をＯＮするスイッチ３１を押す操作が行なわれることで開始される。漏気検査のための動作の開始を指示する操作は、他の操作であってもよい。ＣＰＵ４０は、上の動作に伴う操作信号の入力を操作部３から受付けると、メモリ６から漏気検査を行なわせるためのプログラムを読み出して実行する。これにより、図３のフローチャートに示される動作が開始する。
【００２４】
漏気検査のための動作が開始すると、ステップＳ１０１でＣＰＵ４０は、予め記憶されている漏気検査中であることを示す画面を表示部４に表示させるための処理を実行し、表示部４に図５に示されるような表示を行なわせる。ステップＳ１０３でＣＰＵ４０は、上記プログラムに従って、漏気検査のための動作を各部に行なわせる。ステップＳ１０３で行なわれる漏気検査は、腕帯５内の空気袋（不図示）およびエア管１０Ａ，１０Ｂとで形成される全体空間である閉空間１の漏気の有無を検査するものである。
【００２５】
ステップＳ１０３での検査では、まず、検査者が、図６のように、腕帯５を適度なサイズの円筒に巻き付け、巻き付けが完了すると、図７のように、測定を開始するためのスイッチ３１を押す。そのため、ステップＳ１０３の動作が開始すると、好ましくはＣＰＵ４０は、検査者に腕帯５を円筒に巻き付けてスイッチ３１を押すことを促す画面を表示部４に表示させるための処理を実行し、表示部４にたとえばその旨を通知する画面を表示する。
【００２６】
ＣＰＵ４０は、ステップＳ１０３の動作が開始すると、切替弁２４の両弁を開放し、弁２２を閉塞させるための制御信号を駆動回路２５，２７に出力して状態１とし、閉空間１を形成する。その後、操作部３よりスイッチ３１が押されたことを示す操作信号を受付けると、ＣＰＵ４０は、ポンプ２１に閉空間１に空気を注入させるための制御信号を駆動回路２６に出力し、閉空間１の内圧を加圧する。好ましくは、ＣＰＵ４０は、血圧計に関するＪＩＳ規格の漏気に関する規格に従った漏気検査を行なう。具体的には、ＪＩＳ  Ｔ４２０３−１９９０に従って、２００ｍｍＨｇ印加して３分間静置後、圧力が２ｍｍＨｇ以上下降しないことを確認することで漏気なしと判定する。
【００２７】
ＣＰＵ４０は、操作部３よりスイッチ３１が押されたことを示す操作信号を受付けると、閉空間１に内圧が２００ｍｍＨｇとなるまでポンプ２１に空気を注入させて加圧する。その際、好ましくはＣＰＵ４０は、所定間隔で、加圧中の閉空間１内の圧力を圧力センサ２３からの信号に基づいて検出し、図８に示されるように、表示部４に表示する。図９に示されるように、閉空間１の内圧が２００ｍｍＨｇに達すると、ＣＰＵ４０は、駆動回路２６に制御信号を出力してポンプ２１の駆動を停止し、図示しないタイマでの計時をスタートする。ポンプ２１の閉塞から３分の経過が検出されると、ＣＰＵ４０は、圧力センサ２３からの信号に基づいて閉空間１の内圧を検出して、表示部４に表示すると共に、ステップＳ１０５で漏気判定を行なう。
【００２８】
図１０に示されるように、ポンプ２１の閉塞から３分経過後の閉空間１の内圧の２００ｍｍＨｇからの減少が２ｍｍＨｇ以内である場合には、ＣＰＵ４０は、閉空間１において漏気なしと判定し（ステップＳ１０７でＮＯ）、ステップＳ１０８で「結果１」として、予め記憶されている漏気がないことを示す画面を表示部４に表示させるための処理を行なって、図１１に示されるような画面を表示部４に表示させる。そして、一連の動作を終了する。
【００２９】
図１２に示されるように、ポンプ２１の閉塞から３分経過後の閉空間１の内圧の２００ｍｍＨｇからの減少が２ｍｍＨｇよりも大きい場合には、ＣＰＵ４０は、閉空間１において漏気ありと判定し（ステップＳ１０７でＹＥＳ）、ステップＳ１０９の動作に移行する。
【００３０】
ステップＳ１０９の動作が開始すると、ＣＰＵ４０は、切替弁２４のエア管１０Ａとの接続側の弁を閉塞するための制御信号を２５に出力して状態１から状態２に移行し、閉空間１から腕帯５内の空気袋（不図示）およびエア管１０Ａを切り離して閉空間２を形成する。閉空間２が形成されると、ＣＰＵ４０は、ステップＳ１０３での動作と同様に閉空間２を内圧が２００ｍｍＨｇに達するまで加圧し、３分経過後の閉空間２の内圧を圧力センサ２３からの信号に基づいて検出して、ステップＳ１１１の漏気判定を行なう。ステップＳ１１１の漏気判定は上記ステップＳ１０５と同様である。
【００３１】
図１０に示されるように、ポンプ２１の駆動が停止してから３分経過後の閉空間２の内圧の２００ｍｍＨｇからの減少が２ｍｍＨｇ以内である場合には、ＣＰＵ４０は、閉空間１において漏気があり、かつ閉空間２において漏気がないと判定し（ステップＳ１１５でＮＯ）、ステップＳ１１５で「結果２」を示す画面を表示部４に表示させるための処理を行なって「結果２」を示す画面を表示部４に表示させる。
【００３２】
図１２に示されるように、ポンプ２１の閉塞から３分経過後の閉空間２の内圧の２００ｍｍＨｇからの減少が２ｍｍＨｇよりも大きい場合には、ＣＰＵ４０は、閉空間１において漏気があり、かつ閉空間２においても漏気がありと判定し（ステップＳ１１３でＹＥＳ）、ステップＳ１１９で「結果３」を示す画面を表示部４に表示させるための処理を行なって「結果３」を示す画面を表示部４に表示させる。
【００３３】
閉空間１、つまり腕帯５内の空気袋（不図示）およびエア管１０Ａ，１０Ｂとで閉空間が形成される全体空間において漏気がないと判定される場合（ステップＳ１０７でＮＯ）には、腕帯５内の空気袋（不図示）およびエア管１０Ａである本体２に接続される部分にも、エア管１０Ｂである本体２の内部にも、漏気箇所がないと判定される。従って、上述の「結果１」は、本体２の内部にも接続される部分にも漏気箇所がないことを示す結果である。
【００３４】
閉空間１、つまり腕帯５内の空気袋（不図示）およびエア管１０Ａ，１０Ｂとで形成される全体空間において漏気があり、かつ閉空間２、つまりエア管１０Ｂで形成される閉空間において漏気がないと判定される場合（ステップＳ１１３でＮＯ）には、エア管１０Ｂである本体２の内部には漏気箇所がなく、腕帯５内の空気袋（不図示）およびエア管１０Ａである本体２に接続される部分に漏気箇所があると判定される。従って、上記「結果２」は、本体２に接続される部分に漏気箇所があることを示す結果である。そこで、好ましくは、上記ステップＳ１１７でＣＰＵ４０は、表示部４に図１３に示されるような、漏気箇所が腕帯５などの本体２に接続される部分にあることを示す画面を表示させる。
【００３５】
閉空間１、つまり腕帯５内の空気袋（不図示）およびエア管１０Ａ，１０Ｂとで形成される全体空間において漏気があり、かつ閉空間２、つまりエア管１０Ｂで形成される閉空間において漏気がありと判定される場合（ステップＳ１１３でＹＥＳ）には、腕帯５内の空気袋（不図示）およびエア管１０Ａである本体２に接続される部分に漏気箇所があるか否かは特定されないが、少なくとも、エア管１０Ｂである本体２の内部には漏気箇所があると判定される。従って、上記「結果３」は、少なくとも本体２の内部には漏気箇所があることを示す結果である。そこで、好ましくは、上記ステップＳ１１９でＣＰＵ４０は、表示部４に図１３に示される画面と同様の、漏気箇所が本体２の内部にあることを示す画面を表示させる。
【００３６】
血圧計１が上述の漏気検査のための動作を行なうことで、ユーザは、特別な検査装置を備えていなくても、簡単な操作で漏気検査を実施することができる。また、上の動作によって、漏気の箇所が腕帯５などの本体２に接続される部分にあることが特定されることで、血圧計１本体をメーカーに修理や検査を依頼するために渡す必要がなく、腕帯５などの本体２に接続される部分を購入、もしくは交換することで漏気が解消される。そのため、長期にわたって血圧計１が使えなくなる、という不便を防ぐことができる。
【００３７】
上の例は、図４に示されるような特定の操作によって血圧計１で漏気検査が実施されている。しかしながら、血圧計１において、所定のタイミングで自動的に漏気検査のための動作が実行されてもよい。または、所定のタイミングで漏気検査の要否が判定されて、漏気検査が必要であると判定された場合に、漏気検査の実施を促す表示を表示部４に表示させてもよい。その場合の、具体的な構成および動作について、以下の変形例１，２，３として説明する。
【００３８】
［変形例１］
変形例１にかかる血圧計１はカレンダー機能を備える。ＣＰＵ４０は、上述の漏気検査のための動作が行なわれると、その結果（上述の「結果１」、「結果２」、または「結果３」）に当該動作の実施日を関連付けてメモリ６の所定領域に記憶する。ＣＰＵ４０は、所定のタイミングでメモリ６に記憶されている漏気検査の結果を確認し、その結果から漏気検査のための動作を行なうか否かを判断する。上記所定のタイミングとしては、たとえば、通常の血圧測定を行なうために電源をＯＮするためのスイッチ３１を押下する動作が行なわれたタイミングが挙げられる。また、一連の血圧測定動作が行なわれた後であってもよい。
【００３９】
漏気検査のための動作を行なうか否かの判断は、たとえば、直前の漏気検査の実施日から基準日数が経過している場合や、基準の測定回数が行われた場合が挙げられる。さらに、上記「基準日数」は、直前の漏気検査の結果に応じて複数記憶され、検査結果に応じて用いられてもよい。具体的には、直前の漏気検査の結果が漏気あり（「結果２」または「結果３」）である場合に用いられる「基準日数」は、漏気なし（「結果１」）である場合の「基準日数」よりも長いものを用いることができる。なぜなら、前回の漏気検査で漏気あり（「結果２」または「結果３」）と判定されることで、漏気箇所の修繕が行なわれていることが考えられるために、漏気がなかった場合ほど短い間隔で漏気検査を行なう必要がないと考えられるからである。上記「基準の測定回数」も同様である。
【００４０】
［変形例２］
変形例２において、ＣＰＵ４０は、腕帯５などの本体２に接続される部分または本体２内部のエア管１０Ｂなどの修繕や交換が行なわれた際に、その旨を示す情報に実施日と関連付けてメモリ６の所定領域に記憶する。ＣＰＵ４０は、上の修繕や交換が行なわれたことを、所定の操作を操作部３から受付けることで検出することができる。また、エア管１０Ａ，１０Ｂの接続部にＩＣチップなどの、当該エア管１０Ａ，１０Ｂを識別する情報を記憶した記憶媒体が備えられている場合、接続部にそれら記憶媒体の読取手段を備えて、ＣＰＵ４０は、記憶媒体から読取った識別情報に基づいて交換が行なわれたことを検出することができる。
【００４１】
ＣＰＵ４０は、所定のタイミングでメモリ６に記憶されている修繕や交換が行なわれたことを示す情報を確認し、先の修繕や交換の実施日から基準日数が経過している場合に、漏気検査のための動作を行なうと判断する。上記所定のタイミングとしては、たとえば、通常の血圧測定を行なうために電源をＯＮするためのスイッチ３１を押下する動作が行なわれたタイミングが挙げられる。また、一連の血圧測定動作が行なわれた後であってもよい。
【００４２】
［変形例３］
変形例３において、ＣＰＵ４０は、血圧測定の結果を測定日と関連付けてメモリ６の所定領域に記憶する。そして、ＣＰＵ４０は、所定のタイミングでメモリ６に記憶されている測定結果を確認し、先の測定の実施日から基準日数が経過している場合に、漏気検査のための動作を行なうと判断する。
【００４３】
または、ＣＰＵ４０は、さらに、変形例２と同様に、腕帯５などの本体２に接続される部分または本体２内部のエア管１０Ｂなどの修繕や交換が行なわれたことを示す情報に実施日と関連付けてメモリ６の所定領域に記憶する。そして、ＣＰＵ４０は、所定のタイミングでメモリ６に記憶されている修繕や交換が行なわれたことを示す情報および測定結果を確認し、先の修繕や交換の実施日から規定回数測定が実施されている場合に、漏気検査のための動作を行なうと判断する。
【００４４】
血圧計１が変形例１〜３のようにすることで、適切なタイミングで漏気検査が実施されて、漏気箇所があった場合には、早くに修正や交換を行なうことができる。これにより、精度のよい測定結果を得ることができる。また、最終の漏気検査の結果が漏気ありの場合、血圧測定を開始できないようにすることで、測定結果の信用性を高めることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】実施の形態にかかる血圧計の外観の具体例を示す図である。
【図２】実施の形態にかかる血圧計のハードウェア構成の具体例を示すブロック図である。
【図３】実施の形態にかかる血圧計での、漏気検査のための動作の具体例を示すフローチャートである。
【図４】一連の漏気検査のための動作を説明する図である。
【図５】一連の漏気検査のための動作を説明する図である。
【図６】一連の漏気検査のための動作を説明する図である。
【図７】一連の漏気検査のための動作を説明する図である。
【図８】一連の漏気検査のための動作を説明する図である。
【図９】一連の漏気検査のための動作を説明する図である。
【図１０】一連の漏気検査のための動作を説明する図である。
【図１１】一連の漏気検査のための動作を説明する図である。
【図１２】一連の漏気検査のための動作を説明する図である。
【図１３】漏気検査の結果を表示する画面例である。
【符号の説明】
【００４７】
１  血圧計、２、本体、３  操作部、４  表示部、５  腕帯、６  メモリ、１０Ａ，１０Ｂ  エア管、２１  ポンプ、２２  弁、２３  圧力センサ、２４  切替弁、２５，２６，２７  駆動回路、３１，３２  スイッチ、４０  ＣＰＵ。
【図２】
2010136767.tif 000003
【図３】
2010136767.tif 000004
【図１】
2010136767.tif 000005
【図４】
2010136767.tif 000006
【図５】
2010136767.tif 000007
【図６】
2010136767.tif 000008
【図７】
2010136767.tif 000009
【図８】
2010136767.tif 000010
【図９】
2010136767.tif 000011
【図１０】
2010136767.tif 000012
【図１１】
2010136767.tif 000013
【図１２】
2010136767.tif 000014
【図１３】
2010136767.tif 000015